(57)【要約】【課題】単位断面積当たりの断面二次モーメントの向上が可能なデッキプレートを得る。【解決手段】一枚の鋼板を折曲してなり、水平な上フランジ２と下フランジ３とが縦のウエブ４を介して連続する断面形状のデッキプレートであって、例えば上フランジが、少なくとも上端どうしが互いに合わさって二枚合わせ端となっている二つのウエブの上端間の部分となる板材に、折り返しによる二枚重ね状態部４１を形成した後、前記二枚重ね状態部４１をその中間位置で例えば１８０°折り曲げて形成した二枚重ね折り曲げの四枚重ね部４２を有する。四枚重ね部により断面二次モーメントが向上するが、四枚重ねとしたことで効率的に向上するので、単位断面積当たりの断面二次モーメントが向上する。【選択図】図１
2015092046.tif 000002
【特許請求の範囲】
【請求項１】
一枚の鋼板を折曲してなり、水平な上フランジと下フランジとが縦のウエブを介して連続する断面形状のデッキプレートであって、
前記上フランジから延びる二つの前記ウエブは、少なくとも上端どうし又は下端どうしが互いに合わさって二枚合わせ端となっており、
上フランジは、折り返しによる二枚重ね状態部を形成した後、前記二枚重ね状態部をその中間位置で折り曲げて形成した二枚重ね折り曲げの四枚重ね部を有することを特徴とするデッキプレート。
【請求項２】
前記二枚重ね折り曲げの四枚重ね部がウエブの前記二枚合わせ端の左右両側に形成されて、左右両側が四枚重ねとなっていることを特徴とする請求項１記載のデッキプレート。
【請求項３】
一枚の鋼板を折曲してなり、水平な上フランジと下フランジとが少なくともデッキプレート幅方向の片側端部に形成された縦のウエブを介して連続する断面形状のデッキプレートであって、
デッキプレート幅方向の片側端部に形成された前記ウエブは、当該デッキプレートと前記ウエブ側部分について対称的な断面形状を有する、隣接して敷設されたデッキプレートのウエブと突き合わせた際に、双方のウエブが少なくとも上端どうし又は下端どうしが互いに合わさって二枚合わせ端となる態様をなしており、上又は下のフランジは、交互折り返しにより密着蛇腹状に折り畳んだ三枚以上の重ね部を有することを特徴とするデッキプレート。
【請求項４】
一枚の鋼板を折曲してなり、水平な上フランジと下フランジとが縦のウエブを介して連続する断面形状のデッキプレートであって、
前記上フランジから延びる二つの前記ウエブは、少なくとも上端どうし又は下端どうしが互いに合わさって二枚合わせ端となっており、
上又は下のフランジは、交互折り返しにより密着蛇腹状に折り畳んだ三枚以上の重ね部を有することを特徴とするデッキプレート。
【請求項５】
ウエブの前記二枚合わせ端の左右両側に前記三枚以上の重ね部が形成されていることを特徴とする請求項４記載のデッキプレート。
【請求項６】
一枚の鋼板を折曲してなり、水平な上フランジと下フランジとが縦のウエブを介して連続する断面形状のデッキプレートであって、
前記上フランジから延びる二つの前記ウエブは、少なくとも上端どうし又は下端どうしが互いに合わさって二枚合わせ端となっており、
前記上フランジは、折り返しによる二枚重ね状態部を形成した後、前記二枚重ね状態部をその中間位置で１８０°未満の角度で折り曲げて形成した屈曲二枚重ね部とを有することを特徴とするデッキプレート。
【請求項７】
前記フランジは、折り返しによる二枚重ね状態部を形成した後、前記二枚重ね状態部をその中間位置で９０°以上１８０°未満の角度で折り曲げて形成した屈曲二枚重ね部とを有することを特徴とする請求項６に記載のデッキプレート。
【請求項８】
前記二つのウエブが高さ全体に亘って重なっている二枚重ねウエブであることを特徴とする請求項１〜７のいずれか１項に記載のデッキプレート。
【請求項９】
一枚の鋼板を折曲してなり、水平な上フランジと下フランジとが縦のウエブを介して連続する断面形状のデッキプレートであって、
前記上フランジから延びる二つの前記ウエブは、上端から下端まで離間しており、
上又は下のフランジは、交互折り返しにより密着蛇腹状に折り畳んだ三枚以上の奇数枚重ね部を有することを特徴とするデッキプレート。
【発明の詳細な説明】
【技術分野】
【０００１】
この発明は、一枚の鋼板を折曲してなり、水平な上フランジと下フランジとが縦のウエブを介して連続する断面形状のデッキプレートに関し、主として単位断面積当たりの断面性能向上を可能にするデッキプレートに関する。
【背景技術】
【０００２】
デッキプレートがコンクリート打設時には型枠として機能し、コンクリート硬化後はコンクリートと一体化して合成効果を生じる合成床版用デッキプレートとして、水平な上フランジと下フランジとが縦の（垂直な又は傾斜した）ウェブ部で連続した波形の断面形状で、例えば前記下フランジの中央部に鍵溝、ウエブに段差部を形成したデッキプレート、あるいは前記ウエブにデッキ長手方向に傾斜したエンボスを形成したデッキプレートなどが広く用いられている。前記下フランジに形成した鍵溝や、ウエブに形成した段差部やエンボスなどは、打設後硬化したコンクリートとデッキプレートとが互いにずれたり剥離するのを拘束して一体化し、高い合成効果を発揮する。
【０００３】
前記の波形断面形状のデッキプレートとは別に、図１４に示すように、垂直辺（ウエブ）５５と上辺（上フランジ）５４とによる断面倒立Ｌ字状の二枚重ねの折曲部５３を水平部（下フランジ）５２に間隔をあけて形成したデッキプレート５１がある（特許文献１）。このデッキプレート５１を型枠として、図１５のようにワイヤーメッシュ筋５７を配置しコンクリート５６を打設すると合成床版５９が構築される。
このデッキプレート５１では、Ｌ字状の折曲部５３がコンクリート５６との一体化に寄与する。なお、素材鋼板の全面に形成された凹溝５８も一体化に寄与する。
【０００４】
また、主として断面性能を向上させるために、図１６（イ）に示すように、上下フランジのうちの幅の狭い方のフランジの内面部に補強鋼材６２を素材鋼板で包み込むように配置したデッキプレート６０が提案されている（特許文献２）。同図において、６０ａは下フランジであり幅が広く、６０ｂは上フランジであり幅が狭い。
このデッキプレー６０を型枠としコンクリート６６を打設して、図１６（ロ）のような合成床版が構築される。
なお、補強鋼材６２を幅の狭い上フランジ６０ｂの内面部に配置する手段として、（１）デッキプレートのロール成形前に予め、素材鋼板の幅狭フランジ部６０ｂの内面に相当する位置に補強鋼材６２を溶接しておき、その補強鋼板６２を包み込むように成形する方法、（２）ロール成形過程で、完成前の幅狭フランジ部６０ｂの内面に相当する位置に補強鋼材６２を挿入して、補強鋼材６２を包み込むように成形する方法、（３）ロール成形過程で、完成前の幅狭フランジ部６０ｂの内面に相当する位置に補強鋼材６２を溶接して、補強鋼材６２を包み込むように成形する方法が採用されている。
【先行技術文献】
【特許文献】
【０００５】
【特許文献１】特開昭５８−３７２５５
【特許文献２】特開平０６−２２９０４７
【発明の概要】
【発明が解決しようとする課題】
【０００６】
デッキプレート使用時に要求される構造性能はいくつかあるが、許容積載荷重が大きく、許容デッキプレート支持スパンが長いと、デッキプレートの適用範囲は広くなり好ましい。
前記許容積載荷重及び許容デッキプレート支持スパンには、デッキプレートの断面二次モーメンントの影響が大きい。長スパンに対応可能にするためにデッキプレートの断面二次モーメントを最も簡単に向上させる手段は、デッキプレートのせい（上フランジと下フランジの距離）を高くすることであるが、せいを高くすることに伴い、建物の全体の高さが高くなり、経済性や他部材との納まりなどに関して不利になるので、せいを高くせずに断面二次モーメントを向上させることが望まれる。
また、板厚を厚くすることで、当然断面二次モーメントを高くすることができるが、単に板厚を厚くする対応は、重量が大となり作業性を損ない、また、鋼材使用量が増してコスト高となるので、適切でない。
また、せいを高くせず板厚を厚くしないにしても、断面積が大幅に増したのにも拘わらず断面二次モーメントの向上が僅かである断面形状では、単位断面積当たりの断面二次モーメントが低下することになり、断面効率が悪く経済性に劣る。
【０００７】
上記の通りであり、合成床版用デッキプレートとして合成効果が有効に発揮される断面形状であるとともに、効率的に断面二次モーメントを向上させることが可能なデッキプレートが望まれる。すなわち、せいを高くせず板厚は薄くしても断面二次モーメントを低下させない断面形状で、単位断面積当たりの断面二次モーメントを高くすることができる経済性に優れたデッキプレート、ないし、せいを高くせず板厚も厚くせずに断面二次モーメントを大幅に高くすることができる断面形状で、単位幅当たりの断面二次モーメントを高くすることができる経済性に優れかつ長スパンに対応可能なデッキプレートが望まれる。
【０００８】
特許文献１のデッキプレートは、従来の波形断面形状のデッキプレートと比べて、折り返し部分がある分で断面積が増しているので、せいを高くせずに波形断面形状のデッキプレートよりも断面二次モーメントを高くすることができる。しかし、断面積の増分に対して断面二次モーメントの向上が十分高いとは必ずしも言えないと思われる。
また、合成床版としての性能については、以下に述べるように必ずしも良好ではないと思われる。
合成床版に曲げモーメンンが作用すると、コンクリートがデッキプレートから浮き上がって剥離しようとする力が発生するが、特許文献１のデッキプレートでは、その剥離しようとする力に対してＬ字状の折曲部５３がコンクリートに噛み込み抵抗して剥離を防止し、コンクリートとデッキプレートが一体化する。
しかし、Ｌ字状の折曲部５３では、その横向き突出部（上辺部５４）と水平部２の間にあるコンクリートボリュームに対して、片側でコンクリート浮き上がり力に抵抗しているため回転が生じて、コンクリートと一体化する効果が弱く、合成床版としての性能が低いことが考えられる。
【０００９】
特許文献２のデッキプレートは、補強鋼材６２が付加された分、特許文献１のデッキプレートと比較して断面二次モーメントが向上する。また、せいも高くはならない。
しかし、特許文献２のデッキプレートは、別部材の補強鋼材６２を予め溶接してロール成形、あるいは成形過程で挿入する方法を採用するため、当然ラインスピードが低下すると思われ、その他種々の点で、単なる一枚の鋼板から製品を製造する生産性の高いロール成形の最大の利点を生かすことができない。
また、生産性の低下に伴うコスト高、補強鋼材の費用、溶接費用、その他種々の点で、従来の波形断面形状のデッキプレートと比較して製品コストが格段に上昇すると思われる。
また、溶接の品質管理も伴い、手間及び安定供給の難易度も上がってしまう。 さらには、複数の実強度が異なる鋼材が使用されるため、単純に断面性能を計算できず、設計の難易度も上がる。
【００１０】
本発明は上記背景の下になされたもので、例えば合成床版用デッキプレートとして合成効果が有効に発揮される断面形状であるとともに、効率的に断面二次モーメントを向上させることが可能なデッキプレート、すなわち、せいを高くせず板厚は薄くしても断面二次モーメントを低下させない断面形状で、単位断面積当たりの断面二次モーメントを高くすることができる経済性に優れたデッキプレート、ないし、せいを高くせず板厚も厚くせずに断面二次モーメントを大幅に高くすることができる断面形状で、単位幅当たりの断面二次モーメントを高くすることができる経済性に優れかつ長スパンに対応可能なデッキプレートを提供することを目的とする。
【課題を解決するための手段】
【００１１】
上記課題を解決する請求項１の発明は、一枚の鋼板を折曲してなり、水平な上フランジと下フランジとが縦のウエブを介して連続する断面形状のデッキプレートであって、
前記上フランジから延びる二つの前記ウエブは、少なくとも上端どうし又は下端どうしが互いに合わさって二枚合わせ端となっており、
上フランジは、折り返しによる二枚重ね状態部を形成した後、前記二枚重ね状態部をその中間位置で折り曲げて形成した二枚重ね折り曲げの四枚重ね部を有することを特徴とする。
【００１２】
請求項２は、請求項１のデッキプレートにおいて、前記二枚重ね折り曲げの四枚重ね部がウエブの前記二枚合わせ端の左右両側に形成されて、左右両側が四枚重ねとなっていることを特徴とする。
【００１３】
請求項３の発明は、一枚の鋼板を折曲してなり、水平な上フランジと下フランジとが少なくともデッキプレート幅方向の片側端部に形成された縦のウエブを介して連続する断面形状のデッキプレートであって、
デッキプレート幅方向の片側端部に形成された前記ウエブは、当該デッキプレートと前記ウエブ側部分について対称的な断面形状を有する、隣接して敷設されたデッキプレートのウエブと突き合わせた際に、双方のウエブが少なくとも上端どうし又は下端どうしが互いに合わさって二枚合わせ端となる態様をなしており、上又は下のフランジは、交互折り返しにより密着蛇腹状に折り畳んだ三枚以上の重ね部を有することを特徴とする。
【００１４】
請求項４発明は、一枚の鋼板を折曲してなり、水平な上フランジと下フランジとが縦のウエブを介して連続する断面形状のデッキプレートであって、
前記上フランジから延びる二つの前記ウエブは、少なくとも上端どうし又は下端どうしが互いに合わさって二枚合わせ端となっており、
上又は下のフランジは、交互折り返しにより密着蛇腹状に折り畳んだ三枚以上の重ね部を有することを特徴とする。
請求項５は、請求項４のデッキプレートにおいて、ウエブの前記二枚合わせ端の左右両側に前記三枚以上の重ね部が形成されていることを特徴とする。
【００１５】
請求項６の発明は、一枚の鋼板を折曲してなり、水平な上フランジと下フランジとが縦のウエブを介して連続する断面形状のデッキプレートであって、
前記上フランジから延びる二つの前記ウエブは、少なくとも上端どうし又は下端どうしが互いに合わさって二枚合わせ端となっており、
前記上フランジは、折り返しによる二枚重ね状態部を形成した後、前記二枚重ね状態部をその中間位置で１８０°未満の角度で折り曲げて形成した屈曲二枚重ね部とを有することを特徴とする。
【００１６】
請求項７は、請求項６のデッキプレートにおいて、前記フランジは、折り返しによる二枚重ね状態部を形成した後、前記二枚重ね状態部をその中間位置で９０°以上１８０°未満の角度で折り曲げて形成した屈曲二枚重ね部とを有することを特徴とする。
【００１７】
請求項８は、請求項１〜７のいずれかのデッキプレートにおいて、前記二つのウエブが高さ全体に亘って重なっている二枚重ねウエブであることを特徴とする。
【００１８】
請求項９の発明は、一枚の鋼板を折曲してなり、水平な上フランジと下フランジとが縦のウエブを介して連続する断面形状のデッキプレートであって、
前記上フランジから延びる二つの前記ウエブは、上端から下端まで離間しており、
上又は下のフランジは、交互折り返しにより密着蛇腹状に折り畳んだ三枚以上の奇数枚重ね部を有することを特徴とする。
【発明の効果】
【００１９】
本発明によれば、効率的に断面二次モーメントを向上させることが可能となる。すなわち、後述する図１１で説明する通り、せいを高くせず板厚は薄くしても断面二次モーメントを低下させない断面形状で、単位断面積当たりの断面二次モーメントを高くすることができる経済性に優れ、かつ長スパンに対応可能なデッキプレートが得られる。また、後述する図１２で説明する通り、せいを高くせず板厚も厚くせずに断面二次モーメントを大幅に高くすることができる断面形状で、単位幅当たりの断面二次モーメントを高くすることができる経済性に優れかつ長スパンに対応可能なデッキプレートが得られる。
【００２０】
また、本発明によれば、上フランジを左右対称形状とすることができるので、Ｌ字状の折曲部を持つ特許文献１のデッキプレートと比べて、コンクリートとの合成効果が有効に発揮され、高い合成効果が得られる。
【００２１】
本発明のデッキプレートは、生産性の高いロール成形により製造可能なので、特許文献２のデッキプレートのような製造上の困難性は少なく、製品コストを安くすることができる。
【００２２】
また、本発明によれば、上又は下のフランジが三枚重ね以上なので、一枚のみや二枚重ねのフランジよりも、フランジの幅厚比が小さくなり座屈強度が向上する。
また、断面二次モーメントを高くする目的だけであれば、フランジ幅を広く（フランジ長さを長く）することで可能であるが、上フランジ幅を広くした場合、複数のデッキプレートを梁間に敷き並べた状態で、上フランジ間の間隔が狭くなり、施工時に作業者が歩くスペースが狭く歩行困難になる。しかし、上フランジを三枚重ね以上とすることで、上フランジ幅を狭くして上フランジ間隔を広くすることができ、作業者が歩くスペースが広くなり歩行性を確保できる。
また、上フランジ間隔が広くなることで、コンクリート打設時にコンクリートを撹拝することが容易になる。
【図面の簡単な説明】
【００２３】
【図１】本発明のデッキプレートの実施例を示すもので、上フランジに、二枚重ね状態部の中間部を折り曲げて形成した二枚重ね折り曲げの四枚重ね部を有するデッキプレートの各実施例を示す断面図である。
【図２】上フランジの片側に二枚重ね折り曲げの四枚重ね部を有するが、他側が二枚重ねであるデッキプレートの各実施例を示す断面図である。
【図３】上フランジに、板材の交互折り返しにより密着蛇腹状に折り畳んだ四枚重ね部を有するデッキプレートの各実施例を示す断面図である。
【図４】上フランジに直角の屈曲二枚重ね部を有するデッキプレートの各実施例を示す断面図である。
【図５】上フランジに鋭角の屈曲二枚重ね部を有するデッキプレートの各実施例を示す断面図である。
【図６】間隔をあけて設けた二つのウエブ間の上フランジが、板材の交互折り返しにより密着蛇腹状に折り畳んだ奇数枚重ね部を有するデッキプレートの各実施例を示す断面図である。
【図７】三枚重ねの上フランジを支える左右のウエブ間に二等辺三角形状の中空部が形成されているデッキプレートの各実施例を示す断面図である。
【図８】一つ山のデッキプレートを二つ並べた二つ山のデッキプレートの各実施例を示す断面図である。
【図９】（イ）は下フランジの両端からそれぞれ立ち上がるウエブの上端にそれぞれ三枚重ねの上フランジを持つデッキプレートの実施例を示す断面図、（ロ）は（イ）の右半分のみからなるデッキプレートの実施例を示す断面図、（ハ）は（イ）のデッキプレートの使用態様を説明する図である。
【図１０】垂直な二枚重ねウエブの下端両側の下フランジがそれぞれ三枚重ねで、上フランジの左右両側がニ枚重ねであるデッキプレートの実施例を示す断面図である。
【図１１】本発明のデッキプレートは、板厚を薄くしても従来品と同等の断面二次モーメントsＩを得ることがきて、単位断面積当たりの断面二次モーメントsＩ／Ａが従来と比較して高いことを説明する図であり、（イ）は比較例１のデッキプレート、（ロ）は比較例２のデッキプレート、（ハ）は本発明の実施例のデッキプレート（図１（イ））である。
【図１２】本発明のデッキプレートは、板厚が同じであれば従来品より高い断面二次モーメントsＩを得ることがきて、単位幅当たりの断面二次モーメントsＩ／Ａが従来と比較して高いことを説明する図であり、（イ）は比較例１のデッキプレート、（ロ）は比較例２のデッキプレート、（ハ）は本発明の実施例のデッキプレート（図１（イ））である。
【図１３】本発明の実施例のデッキプレートで構築される合成床版を示す断面図である。
【図１４】従来の合成床版用デッキプレート（特許文献１）の斜視図である。
【図１５】図１４のデッキプレートで構築される合成床版の断面図である。
【図１６】（イ）は他の従来の合成床版用デッキプレート（特許文献２）を示す模式的な要部断面図、（ロ）は（イ）のデッキプレートで構築される合成床版の断面図である。
【発明を実施するための形態】
【００２４】
以下、本発明のデッキプレートを実施するための形態について、図面を参照して説明する。
本発明のデッキプレートは、例えば図１（イ）に示したデッキプレート１１Ａのように、一枚の鋼板を折曲してなるデッキプレートであり、水平な上フランジ２と下フランジ３とが縦（垂直ないし斜め）のウエブ４を介して連続する断面形状のデッキプレートである。実施例のデッキプレートは合成床版用デッキプレートであり、その複数枚を例えば図１３に示すように、鉄骨構造の適宜スパンの例えばＨ形鋼等による梁８間に掛け渡して敷き並べ、それを型枠としてコンクリート５を打設して、合成床版７を構築する。なお、６はひび割れ拡大防止用の例えば溶接金網である。
【００２５】
図１、図２に示した実施例の各デッキプレートは、上フランジが、少なくとも上端どうしが互いに合わさって二枚合わせ端となっている二つのウエブ間の部分となる板材に、折り返しによる二枚重ね状態部を形成した後、前記二枚重ね状態部をその中間位置で１８０°折り曲げて形成した二枚重ね折り曲げの四枚重ね部を有するデッキプレートの実施例である。
【００２６】
図１（イ）に示した実施例のデッキプレート１１Ａは、前記二つのウエブ４が垂直で高さ全体に亘って重なっている二枚重ねウエブ４０である。そして、前記二つのウエブ４の上端間の部分の板材を折曲して、図１（ホ）に示すように二枚重ねウエブ４０の左右両側に折り返しによる二枚重ね状態部４１を形成した後、左右両側の前記二枚重ね状態部４１の略中央位置でそれぞれ破線で示すように折り曲げる。この実施例では、左右両側の前記二枚重ね状態部４１を１８０°折り曲げて、ニ枚重ねウエブ４０の左右両側にそれぞれ二枚重ね折り曲げの四枚重ね部４２を形成し、これにより上フランジ２が四枚重ねとなっている。図示例では上フランジ２の全体が二枚重ね折り曲げの四枚重ね部４２である。
また、二枚重ねウエブ４０に支えられている部分の全体が上フランジであるが、場合により、その全体を指す場合も、また左右両側の各部分を指す場合も同じく上フランジ２と呼ぶ（下フランジ３についても同様）。
この例では前記二枚重ね状態部４１を上側に折り曲げて四枚重ねの上フランジ２を形成している。図示例のように左右の上フランジ２の長さを同じにした場合、四枚重ね状態を安定させる等のために、左右の四枚重ねの上側の二枚重ね部分の略突き合わされた先端どうしをデッキプレート長手方向に間隔をあけて溶接や接着剤で固定してもよい。
【００２７】
図１（ロ）に示したデッキプレート１１Ｂは、前記二枚重ね状態部を前記デッキプレート１１Ａとは逆に、下側に折り曲げて四枚重ねの上フランジ２を形成している。
図１（ハ）に示したデッキプレート１１Ｃは、前記二枚重ね状態部を前記デッキプレート１１Ａと同じく上側に折り曲げてはいるが、前記二枚重ね状態部の長さが短く、上フランジ２の端側の概ね半分のみを四枚重ねにしている。
【００２８】
図１（ニ）に示したデッキプレート１１Ｄのように、二枚重ねウエブ４０の片側のみに折り返しによる前記二枚重ね状態部を形成して片側のみに四枚重ねの上フランジ２を形成してもよい。
なお、各実施例で上フランジ２を支えているウエブは、二つのウエブ４が垂直で高さ全体に亘って重なっている二枚重ねウエブ４０であるが、図１（ヘ）に示したデッキプレート１１Ｅのように、ウエブ４の下方がそれぞれ左右に傾斜して下端では間隔をあけているウエブとすることも考えられる。
【００２９】
図２（イ）に示した実施例のデッキプレート１２Ａは、前記と同じく二枚重ねウエブ４０を持つ。この実施例の上フランジ２は、前記二つのウエブ４の上端間の部分の板材の折曲により、二枚重ねウエブ４０の片側（右側）については、長い二枚重ね状態部を形成しその略中央位置で１８０°折り曲げて二枚重ね折り曲げの四枚重ね部４２を形成しているが、他側（左側）については短い二枚重ね状態部を形成しているのみの単なる二枚重ねという断面形状である。
図２（ロ）に示した実施例のデッキプレート１２Ｂの上フランジ２は、右側の前記長い二枚重ね状態部を前記デッキプレート１２Ａとは逆に下側に折り曲げて、下側に四枚重ねの上フランジ２を形成している。他側は単なる二枚重ねである。
図２（ハ）に示したデッキプレート１２Ｃは、右側の二枚重ね状態部をデッキプレート１２Ａと同じく上側に折り曲げてはいるが、その二枚重ね状態部の長さがデッキプレート１２Ａのものより短く、上フランジ２の端側の概ね半分のみに四枚重ねの上フランジ２が形成されている。他側は単なる二枚重ねである。
【実施例１】
【００３０】
図３（イ）に示した実施例のデッキプレート１３Ａは、前記と同じく垂直な二枚重ねウエブ４０を持つ。この実施例の上フランジ２は、Ｃ両側に、二つのウエブ４の上端間の部分となる板材の交互折り返しにより密着蛇腹状に折り畳んだ四枚重ね部４３を有している。
図３（ロ）に示したデッキプレート１３Ｂのように、二枚重ねウエブ４０の片側のみに、板材の交互折り返しにより密着蛇腹状に折り畳んだ四枚重ね部４３を形成してもよい。
【実施例２】
【００３１】
図４（イ）に示した実施例のデッキプレート１４Ａは、上フランジ２が、二枚重ねとなっている垂直な二つのウエブ４の上端間の部分の板材を折曲して、図１（ホ）と同様に二枚重ねウエブ４０の左右両側に折り返しによる二枚重ね状態部４１を形成した後、図４（イ）に示す通り、前記二枚重ね状態部４１をその中間位置で上側に直角に折り曲げて形成した屈曲二枚重ね部４４を有している。
図４（ロ）に示した実施例のデッキプレート１４Ｂは、前記二枚重ね状態部を、前記デッキプレート１４Ａとは逆に、下側に直角に折り曲げて屈曲二枚重ね部４４を形成している。
図４（ハ）に示したデッキプレート１４Ｃは、前記二枚重ね状態部を、前記デッキプレート１４Ａと同じく上側に直角に折り曲げた屈曲二枚重ね部４４を有してはいるが、前記二枚重ね状態部の長さが短く、屈曲二枚重ね部４４における直角に立ち上がる部分の高さが低い。
【００３２】
図５（イ）に示した実施例のデッキプレート１５Ａは、前記デッキプレート１４Ａと同じく、二枚重ねウエブ４０の左右両側に折り返しによる二枚重ね状態部４１を形成した後、前記二枚重ね状態部４１をその中間位置で上側に折り曲げているが、折り曲げ角度が９０°を越えており鋭角の屈曲二枚重ね部４５となっている。
図５（ロ）に示した実施例のデッキプレート１５Ｂは、前記デッキプレート１５Ａと同様に、二枚重ね状態部を９０°を超えて折り曲げているが、折り曲げる向きが逆で下側に折り曲げて鋭角の屈曲二枚重ね部４５を形成している。
図５（ハ）に示したデッキプレート１５Ｃは、前記二枚重ね状態部を、前記デッキプレート１５Ａと同じく上側に９０を超えて折り曲げているが、前記二枚重ね状態部の長さが短く、屈曲二枚重ね部４５における鋭角に立ち上がる部分の長さが短い。
【実施例３】
【００３３】
図６（イ）に示した実施例のデッキプレート１６Ａは、上フランジ２が、離間している垂直な二つのウエブ４の上端間の部分となる板材の交互折り返しにより密着蛇腹状に折り畳んだ三枚重ね部４６を有している。
このデッキプレート１６Ａの上フランジ２は三枚重ねであるが、図６（ロ）に示したデッキプレート１６Ｂのように、交互折り返しの数を増やして、密着蛇腹状に折り畳んだ五枚重ね部４６’とすることができる。また、それ以上の奇数枚重ねとすることも可能である。なお、以下の図６（ハ）、図７（イ）、（ロ）、（ハ）の各実施例においても同様である。
【００３４】
図６（ハ）に示した実施例のデッキプレート１６Ｃは、上フランジ２が、前記デッキプレート１６Ａと同様に、離間している垂直な二つのウエブ４の上端間の部分となる板材の
交互折り返しにより密着蛇腹状に折り畳んだ三枚重ね部を有しているが、この実施例では、フランジ中央位置の両側に個別の三枚重ね部４６”、４６”を形成している。
すなわち、この実施例では、左方のウエブ４側から形成した交互折り返しにより密着蛇腹状に折り畳んで形成した三枚重ね部４６”と、右方のウエブ４側から形成した交互折り返しにより密着蛇腹状に折り畳んで形成した三枚重ね部４６”とがフランジ中央位置の両側にそれぞれ形成され、そして、左右の三枚重ね部４６”、４６”の最上側の板材が互いに連続している。
【００３５】
図７に示した実施例の各デッキプレートは、図６に示した実施例のデッキプレート１６Ａ、１６Ｃと同様に、上フランジ２が、上端で離間している二つのウエブ４の上端間の部分となる板材の交互折り返しにより密着蛇腹状に折り畳んだ三枚重ね部を有しているが、
この実施例では、前記二つのウエブ４の下端側が互いに合わさって二枚合わせとなっており、前記二つのウエブ４間に二等辺三角形状の中空部が形成されている。
図７（イ）のデッキプレート１７Ａは、図６（イ）のデッキプレート１６Ａにおける左右二つのウエブ４が下端で合わさって閉じ、上フランジ２と下フランジ３との間に二等辺三角形状の中空部４７が形成されている。
図７（ロ）のデッキプレート１７Ｂは、図６（ハ）のデッキプレート１６Ｃにおける左右二つのウエブ４が下端で合わさって閉じ、上フランジ２と下フランジ３との間に二等辺三角形状の中空部４７’が形成されている。
図７（ハ）のデッキプレート１７Ｃは、図７（ロ）のデッキプレート１７Ｂにおける左右二つのウエブ４のそれぞれ上半分が、下フランジ３からそれぞれ立ち上がった下半分による短い二枚重ねウエブ４０’の上端で合わさって閉じて、上フランジ２側の部分に二等辺三角形状の中空部４７”が形成されている。
【実施例４】
【００３６】
図８（イ）、（ロ）、（ハ）に示した実施例のデッキプレートは、前述した一つ山の各デッキプレートにおける上フランジ及びそれを支える二つのウエブの部分（一つ山の部分）が下フランジに間隔をあけて二つ形成されたデッキプレートである。
図８（イ）のデッキプレート１８Ａは、図１（イ）のデッキプレート１１Ａがその下フランジ３が連続して一体に二つ並んだ断面形状の二つ山のデッキプレートである。
図８（ロ）のデッキプレート１８Ｂは、図１（ロ）のデッキプレート１１Ｂがその下フランジ３が連続して一体に二つ並んだ断面形状の二つ山のデッキプレートである。
図８（ハ）のデッキプレート１８Ｃは、図６（ハ）のデッキプレート１６Ｃがその下フランジ３が連続して一体に二つ並んだ断面形状の二つ山のデッキプレートである。
上記３つの実施例に限らず、前述した一つ山の各デッキプレートについて、下フランジが連続して一体に二つ並んだ断面形状のデッキプレートとすることができる。
また、二つ並んだ断面形状に限らず、三つ以上並んだ断面形状とすることも可能である。
【実施例５】
【００３７】
図９（イ）に示した実施例のデッキプレート１９は、下フランジ３の両端からそれぞれ垂直に立ち上がった左右２つのウエブ４の各上端に形成された上フランジ２が、当該上フランジの部分となる板材端部の交互折り返しにより密着蛇腹状に折り畳んだ三枚重ね部４８となっている。
なお、図９（イ）の三枚重ねの上フランジ２において、当該上フランジの部分となる板材を長くしてさらに交互折り返しをすることで、四枚重ねとすることも可能であり、また、それ以上の複数枚重ねとすることができる。
【実施例６】
【００３８】
図９（ロ）に示した実施例のデッキプレート２１’は、図９（イ）のデッキプレート１９の右半分のみからなる断面形状のデッキプレートである。
すなわち、図９（イ）のデッキプレート１９の下フランジ３の半分の長さである下フランジ３’の図９（ロ）で右端から垂直に立ち上がったウエブ４’の上端に形成された上フランジ２’が、当該上フランジ２’の部分となる板材端部の交互折り返しにより密着蛇腹状に折り畳んだ三枚重ね部４８’となっている。
このデッキプレート２１’は、例えば図９（ハ）のようにして用いることができる。すなわち、このデッキプレート２１’と左右対称の断面形状のデッキプレート２１”を、このデッキプレート２１’に隣接して布設した時、デッキプレート幅方向の片側端部に形成されたウエブ４’は、隣接して敷設されたデッキプレート２１”のウエブ４”と突き合わせた際に、双方のウエブ４’、４”がこの実施例では高さ全体に重なった二枚重ねウエブとなっている。なお、デッキプレート２１”の上フランジを２”、下フランジを３”、三枚重ね部を４８”で示す。
【００３９】
図９（ロ）の実施例のデッキプレート２１’の上フランジ２’は三枚重ね４８’であるが、４枚重ね等とすることができる。
また、実施例のデッキプレート２１’は、その下フランジ３’のウエブ４’と反対側の端部が平坦なままであるが、平坦なままでなく何らかの断面形状とすることができる。
なお、図９（ハ）の２つのデッキプレート２１’、２１”のウエブ４’、４’同士をスポット溶接やかしめ接合等で接合すれば、１つのデッキプレート６１として扱うことも可能である。
また、この実施例のデッキプレート２１’、２１”の各ウエブ４’、４”は垂直であり、隣接して敷設した時に、図９（ハ）の通りその２つのウエブ４’、４”が高さ全体に重なった二枚重ねウエブとなっているが、図９（ロ）でウエブが右側に傾斜したデッキプレートとすることができる。この場合は、上端で突き合わされた２つのウエブの下端が離間している態様となる。
【実施例７】
【００４０】
図１０（イ）に示した実施例のデッキプレート２０Ａは、上フランジ２が、高さ全体に亘って重なっている垂直な二枚重ねウエブ４０の上端から左右両側にそれぞれ水平方向に延出し折り返された二枚重ね３０となっており、前記二枚重ねウエブ４０の下端で左右両側に延出する下フランジ３は、当該下フランジとなる板材端部の交互折り返しにより密着蛇腹状に折り畳んで形成した三枚重ね４９となっている。
この場合も、三枚重ね４９の下フランジ３を、前記と同様に四枚重ねとすることも可能であり、また、それ以上の複数枚重ねとすることができる。
図１０（ロ）に示した実施例のデッキプレート２０Ｂは、図１０（イ）のデッキプレート２０Ａにおける下フランジ３の三枚重ね部４９が短い三枚重ね部４９’となっている。
これらのデッキプレート２０Ａ、２０Ｂの場合も、三枚重ね４９、４９’の下フランジ３を、当該下フランジの部分となる板材を長くしてさらに交互折り返しをすることで、四枚重ねとすることも可能であり、また、それ以上の複数枚重ねとすることができる。
【００４１】
図１１（ハ）に示したデッキプレート１１Ａ０は、図１（イ）で説明するデッキプレート１１Ａの具体的実施例の形状寸法を示したものであるが、後述するように、二枚重ね状態部をその中間位置で１８０°折り曲げて形成した四枚重ねの上フランジを持つ。
このデッキプレート１１Ａ０は、板厚が１．２ｍｍ、下フランジ幅（全体幅）が３００ｍｍ、高さが２５０ｍｍ、四枚重ねの上フランジ幅が１００ｍｍである。
図１１（イ）に比較例１としての一つ山で折り返し部のない従来のデッキプレートＪ、図１１（ロ）に比較例２として想定した本発明と同じ外形のデッキプレートＫを示す。
いずれも下フランジ幅が３００ｍｍ、高さ（せい）が２５０ｍｍである。
比較例１のデッキプレートＪは上フランジ幅が１５０ｍｍ、左右の下フランジ幅がそれぞれ７５ｍｍ、板厚が２．２ｍｍである。
比較例２のデッキプレートＫは、本発明実施例と対比するために同じ外形としているが、上フランジが二枚重ね、板厚が１．６ｍｍである。
それぞれの図の下に、断面積Ａ（ｍｍ）、断面二次モーメントsＩ（ｍｍ）を記載し、さらに、断面二次モーメントsＩと断面積Ａとの比（すなわち、単位断面積当たりの断面二次モーメント）sＩ／Ａを記載している。
各数値は、想定した比較例２の板厚１．６のデッキプレートＫを基準とし、本発明実施例のデッキプレート１１Ａ０及び比較例１のデッキプレートＪについて、その断面二次モーメントsＩが、比較例２のデッキプレートＫの断面二次モーメントsＩ＝15,662,465ｍｍ４と略同じ値（具体的にはＪでは15,482,887、１１Ａ０では15,120,616）となるように板厚を算出し、断面積Ａを算出し、単位断面積当たりの断面二次モーメントsＩ／Ａを算出したものである。
単位断面積当たりの断面二次モーメントsＩ／Ａは、比較例１（Ｊ）の8,919、比較例２（Ｋ）の9,967に対して本発明実施例（Ａ０）は10,754
（単位はｍｍとなる）であり、
本発明実施例（１１Ａ０）のsＩ／Ａは、従来例である比較例１に対して約１２０％であり、想定した比較例２に対して約１０８％である。
このように、本発明によれば、単位断面積当たりの断面二次モーメントsＩ／Ａが従来のデッキプレートに対しては勿論、上フランジを二枚重ねで想定した比較例２に対しても明確に高くなっており、断面効率が向上し経済性の高いデッキプレートが得られている。
【００４２】
前記３つのデッキプレート１１Ａ、Ｊ、Ｋの各断面形状について、板厚を共通の１．６ｍｍにして比較した場合を図１２に示す。図１２（イ）は比較例１’のデッキプレートＪ’、図１２（ロ）は比較例２のデッキプレートＫ’（＝Ｋ）、図１２（ハ）は本発明実施例のデッキプレート１１Ａ０’である。
この比較の場合の単位断面積当たりの断面二次モーメントsＩ／Ａは、比較例１’（Ｊ’）の8,983、比較例２’（Ｋ’）の9,967に対して本発明実施例（１１Ａ０’）は10,623
（単位はｍｍとなる）であり、本発明実施例（１１Ａ０’）のsＩ／Ａは、従来例である比較例１’に対して約１１８％、想定した比較例２’に対して約１０７％である。
この比較でも、本発明により断面効率が向上し経済性が高いデッキプレートが得られているが、それとともに、単位幅当たりの断面二次モーメントが高くなっている。すなわち、せいを高くしたり板厚を厚くすることなく、長スパンに対応可能でかつ経済性の高いデッキプレートが得られる。
【００４３】
上述の各実施例では、概ね上フランジ又は下フランジの一方について三枚重ねや四枚重ねなどの複数枚重ねとする場合を説明したが、図１、図２のデッキプレートの実施例の説明で述べたと同様に、実施例と反対側のフランジを複数枚重ねとすることが可能である。
なお、各実施例に対してコンクリートを打設する場合を考慮し、従来技術であるエンボスや段差部をデッキプレート各所に形成するなどして、コンクリートとの合成効果を向上させる構成を付加しても良い。
【符号の説明】
【００４４】
２、２’  上フランジ
３、３’  下フランジ
４、４’  ウエブ
４０  二枚重ねウエブ
４１  二枚重ね状態部
４２  （二枚重ね折り曲げの）四枚重ね部
４３  （密着蛇腹状に折り畳んだ）四枚重ね部
４４、４５  屈曲二枚重ね部
４６、４６” （密着蛇腹状に折り畳んだ）三枚重ね部（奇数重ね部）
４６’ （密着蛇腹状に折り畳んだ）五枚重ね部（奇数重ね部）
４７、４７’、４７”  二等辺三角形状の中空部
４８、４８’、４９、４９’  （板材端部で密着蛇腹状に折り畳んだ）三枚重ね部（複数枚重ね部
１１Ａ０  、１１Ａ０’  合成床版用デッキプレート
１１Ａ、１１Ｂ、１１Ｃ、１１Ｄ、１１Ｅ  合成床版用デッキプレート
１２Ａ、１２Ｂ、１２Ｃ  合成床版用デッキプレート
１３Ａ、１３Ｂ  合成床版用デッキプレート
１４Ａ、１４Ｂ、１４Ｃ  合成床版用デッキプレート
１５Ａ、１５Ｂ、１５Ｃ  合成床版用デッキプレート
１６Ａ、１６Ｂ、１６Ｃ  合成床版用デッキプレート
１７Ａ、１７Ｂ、１７Ｃ  合成床版用デッキプレート
１８Ａ、１８Ｂ、１８Ｃ  合成床版用デッキプレート
１９      合成床版用デッキプレート
２０Ａ、２０Ｂ    合成床版用デッキプレート
２１’  合成床版用デッキプレート
【図１】
2015092046.tif 000003
【図２】
2015092046.tif 000004
【図３】
2015092046.tif 000005
【図４】
2015092046.tif 000006
【図５】
2015092046.tif 000007
【図６】
2015092046.tif 000008
【図７】
2015092046.tif 000009
【図８】
2015092046.tif 000010
【図９】
2015092046.tif 000011
【図１０】
2015092046.tif 000012
【図１１】
2015092046.tif 000013
【図１２】
2015092046.tif 000014
【図１３】
2015092046.tif 000015
【図１４】
2015092046.tif 000016
【図１５】
2015092046.tif 000017
【図１６】
2015092046.tif 000018